【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】
心臓腔を電気的に分離するための方法において、
肺静脈の口の近くにおける当該肺静脈の中にコイルを導入するステップであって、この場合に、当該コイルの主軸が前記肺静脈に対して実質的に同軸に整合されている、ステップと、
前記コイルのセグメントを差別的に加熱することによって当該コイルを軸方向に拡張させ、前記肺静脈の内壁部に対して前記コイルを周縁に沿って係合させることにより当該コイルと肺静脈との間における周縁接触領域を定めるステップと、
前記周縁接触領域を維持しながら、前記コイルから当該周縁接触領域に高周波エネルギーを伝導させて前記肺静脈の切除領域内の組織を切除するステップと、を含む、方法。
【請求項２】
組織を切除する方法において、
形状記憶材料により構成されているコイルを供給するステップと、
中空の体内腔器官の中に前記コイルを導入するステップと、
前記コイルのセグメントを差別的に加熱することによって当該コイルを軸方向に拡張させ、前記体内腔器官の内壁部に対して前記コイルを周縁に沿って係合させることにより当該コイルと内壁部との間における周縁接触領域を定めるステップと、
前記周縁接触領域を維持しながら、前記コイルから当該周縁接触領域に高周波エネルギーを伝導して当該領域内の組織を切除するステップと、を具備する方法。
【手続補正２】
【補正対象書類名】明細書
【補正対象項目名】００７５
【補正方法】変更
【補正の内容】
【００７５】
（３６）前記固定用バルーンを膨張する工程の実行後に、当該固定用バルーンにおける一定の基端側部分がその先端側部分よりも大きな一定の直径を有する実施態様（３５）に記載の方法。
（３７）前記固定用バルーンが二裂片状である実施態様（３６）に記載の方法。
（３８）前記固定用バルーンが洋ナシ形である実施態様（３６）に記載の方法。
（Ａ１）心臓腔を電気的に分離するための方法において、
肺静脈の口の近くにおける当該肺静脈の中にコイルを導入するステップであって、この場合に、当該コイルの主軸が前記肺静脈に対して実質的に同軸に整合されている、ステップと、
前記コイルのセグメントを差別的に加熱することによって当該コイルを軸方向に拡張させ、前記肺静脈の内壁部に対して前記コイルを周縁に沿って係合させることにより当該コイルと肺静脈との間における周縁接触領域を定めるステップと、
前記周縁接触領域を維持しながら、前記コイルから当該周縁接触領域に高周波エネルギーを伝導させて前記肺静脈の切除領域内の組織を切除するステップと、を含む、方法。
（Ａ２）実施態様A１に記載の方法であって、
前記コイルを周縁に沿って係合させるステップが、当該コイルを半径方向に拡張することによっても行なわれる、方法。
（Ａ３）  実施態様A２に記載の方法であって、
前記コイルが形状記憶合金により形成されている、方法。
（Ａ４）  実施態様A３に記載の方法であって、
前記コイルの形態を変更するために前記コイルの温度を変化させるステップをさらに含む、方法。
（Ａ５）  実施態様A４に記載の方法であって、
前記温度を変化させるステップを実行中に、前記コイルがその形状記憶に応じて半径方向に拡張する、方法。
（Ａ６）  実施態様A２に記載の方法であって、
前記コイルの基端側セグメントが、その先端側セグメントよりも大きく半径方向に拡張される、方法。
（Ａ７）  実施態様A６に記載の方法であって、
前記半径方向に拡張するステップが、前記コイルを先細りにするステップを含む、方法。
（Ａ８）  実施態様A１に記載の方法であって、
前記差別的に加熱するステップが、前記コイルのセグメントのそれぞれに異なる量の電流を流すことにより行なわれる、方法。
（Ａ９）  実施態様A１に記載の方法であって、
前記差別的に加熱するステップが誘導加熱により行なわれる、方法。
（Ａ１０）  実施態様A１に記載の方法であって、
前記差別的に加熱するステップが、
前記コイルを加熱するための１回の電磁的作用を当該コイルに及ぼすステップと、
前記コイルのセグメントにおいて選択されたセグメントに冷却剤を伝導するステップと、により行なわれる、方法。
（Ａ１１）  実施態様A１に記載の方法であって、
前記切除領域の幅の寸法が、前記コイルにおけるピッチと少なくとも同じ大きさである、方法。
（Ａ１２）  実施態様A１に記載の方法であって、
前記導入のステップが、
前記コイルを心房内隔壁を通して心臓の中に移動させるステップと、
前記心房内隔壁を通して前記コイルを移動させながら、当該コイルから前記心房内隔壁の中に２回目の高周波エネルギーを伝導して当該心房内隔壁の組織を切除するステップと、を含む、方法。
（Ａ１３）  実施態様A１２に記載の方法であって、
前記２回目の高周波エネルギーを伝導するステップは、前記コイルの通過を可能とするために前記心房内隔壁における十分な量の組織が切除されるまで行なわれる、方法。
（Ａ１４）  実施態様A１に記載の方法であって、
前記コイルが生体分解性の材料により構成されている、方法。
（Ａ１５）  実施態様A１に記載の方法であって、
前記高周波エネルギーを伝導するステップが、１回の継続的な供給により行われる、方法。
（Ａ１６）  実施態様A１に記載の方法であって、
前記コイルを周縁に沿って係合させるステップが、
前記コイルを固定用バルーンの周囲に配置するステップと、
前記固定用バルーンを膨張させて前記コイルを半径方向に拡張するステップと、により行なわれる、方法。
（Ａ１７）  実施態様A１６に記載の方法であって、
前記固定用バルーンを膨張させるステップの実行後に、当該固定用バルーンにおける基端側セグメントがその先端側セグメントよりも大きな直径を有する、方法。
（Ａ１８）  実施態様A１７に記載の方法であって、
前記固定用バルーンが二裂片状である、方法。
（Ａ１９）  実施態様A１７に記載の方法であって、
前記固定用バルーンが洋ナシ形である、方法。
（Ａ２０）  組織を切除する方法において、
形状記憶材料により構成されているコイルを供給するステップと、
中空の体内腔器官の中に前記コイルを導入するステップと、
前記コイルのセグメントを差別的に加熱することによって当該コイルを軸方向に拡張させ、前記体内腔器官の内壁部に対して前記コイルを周縁に沿って係合させることにより当該コイルと内壁部との間における周縁接触領域を定めるステップと、
前記周縁接触領域を維持しながら、前記コイルから当該周縁接触領域に高周波エネルギーを伝導して当該領域内の組織を切除するステップと、を具備する方法。
（Ａ２１）  実施態様A２０に記載の方法であって、
前記コイルを周縁に沿って係合させるステップは、当該コイルを半径方向に拡張することによっても行なわれる、方法。
（Ａ２２）  実施態様A２１に記載の方法であって、
前記コイルは、形状記憶合金により構成されている、方法。
（Ａ２３）  実施態様A２１に記載の方法であって、
前記コイルを供給するステップは、その複数の巻線におけるジグザグ状の折り重ね部分を形成するステップを含む、方法。
（Ａ２４）  実施態様A２１に記載の方法であって、
前記コイルの基端側セグメントが、その先端側セグメントよりも大きく半径方向に拡張される、方法。
（Ａ２５）  実施態様A２４に記載の方法であって、
前記コイルの温度を変化させることによりその形態を変更するステップを含む、方法。
（Ａ２６）  実施態様A２５に記載の方法であって、
前記温度を変化するステップの実行中に、前記コイルがその形状記憶に応じて半径方向に拡張する、方法。
（Ａ２７）  実施態様A２４に記載の方法であって、
前記半径方向に拡張するステップが前記コイルを先細りにするステップを含む、方法。
（Ａ２８）  実施態様A２０に記載の方法であって、
前記差別的に加熱するステップが前記コイルのセグメントのそれぞれに異なる量の電流を流すことにより行なわれる、方法。
（Ａ２９）  実施態様A２０に記載の方法であって、
前記差別的に加熱するステップが誘導加熱により行なわれる、方法。
（Ａ３０）  実施態様A２０に記載の方法であって、
前記差別的に加熱するステップが、
前記コイルを加熱するための１回の電磁的作用を当該コイルに及ぼすステップと、
前記コイルのセグメントにおいて選択されたセグメントに冷却剤を伝導するステップと、により行なわれる、方法。
（Ａ３１）  実施態様A２０に記載の方法であって、
前記コイルが生体分解性の材料により構成されている、方法。
（Ａ３２）  実施態様A２０に記載の方法であって、
前記高周波エネルギーを伝導するステップが１回の連続的な供給の様式で行われる、方法。
（Ａ３３）  実施態様A２０に記載の方法であって、
前記コイルを周縁に沿って係合させるステップが、
前記コイルを固定用バルーンの周囲に配置するステップと、
前記固定用バルーンを膨張させて前記コイルを半径方向に拡張させるステップと、により行なわれる、方法。
（Ａ３４）  実施態様A３３に記載の方法であって、
前記固定用バルーンを膨張させるステップの実行後に、当該固定用バルーンにおける基端側セグメントがその先端側セグメントよりも大きな直径を有する、方法。
（Ａ３５）  実施態様A３４に記載の方法であって、
前記固定用バルーンが二裂片状である、方法。
（Ａ３６）  実施態様A３４に記載の方法であって、
前記固定用バルーンが洋ナシ形である、方法。